(57)【要約】      （修正有）【課題】複数の人の間に配置することで、人の口や鼻からの飛沫を遮断して吸込むことのできる飛沫吸込フードを提供する。【解決手段】複数の人の間に配置される吸込ノズル筒体１と、吸引ダクト管２を備える。吸込ノズル筒体１は、各吸込筒端が閉塞されて、内部に吸込空間βを有する吸込筒本体５を有し、吸込筒本体５は第１及び第２筒側板部２１、２４で筒状に形成される。第２筒側板部２４には、吸込空間βに連通される複数の吸込穴が形成されている。吸引ダクト管２は、一方の吸込筒端側に配置されて、吸込筒本体５に固定され、一方のダクト管端２Ａ側を吸込筒本体５内に挿入して、他方のダクト管端２Ａを吸込空間βに気密に連通する。吸引ダクト管２は、他方のダクト管端から吸引機に接続される。【選択図】図３
0003235334.tif 000002
【実用新案登録請求の範囲】
【請求項１】
複数の人の間に配置されて、人の口や鼻からの飛沫を吸込む飛沫吸込フードであって、
第１筒側板部及び第２筒側板部とで筒状に形成される吸込筒本体、前記吸込筒本体の各吸込筒端を閉塞して前記吸込筒本体内に吸込空間を形成する一対の閉塞板、前記吸込筒本体に形成される吸込穴を有する吸込ノズル筒体と、
一方の閉塞板側に配置され、記吸込筒本体に固定される吸引ダクト管と、を備え、
前記吸引ダクト管は、
一方のダクト管端側を前記第２筒側板部の側から前記吸込筒本体内に挿入して、前記吸込空間に気密に連通され、
前記吸込筒本体の吸込筒中心線と直交する方向に延在され、他方のダクト管端を前記第２筒側板部の側から突出して、他方のダクト管端から吸引機に接続され、
前記吸込穴は、
他方の閉塞板及び一方の閉塞板側の前記吸引ダクト管の間の前記第２筒側板部に形成され、及び前記第２筒側板部を貫通して前記吸込空間に連通され、
前記第１筒側板部は、
中空板材からなる
ことを特徴とする飛沫吸込フード。
【請求項２】
前記吸引ダクト管は、
一方のダクト管端を閉塞するダクト閉塞板と、
一方のダクト管端側に配置され、前記吸引ダクト管を前記吸引ダクト管の管中心線と直交する方向に貫通して形成される吸引穴と、を有し、
前記吸引穴を他方の閉塞板に向けて、前記ダクト閉塞板及び一方のダクト管端側を前記第２筒側板部の側から前記吸込筒本体内に挿入し、及び前記吸引穴を気密に前記吸込空間に連通して配置される
ことを特徴とする請求項１に記載の飛沫吸込フード。
【請求項３】
前記吸引ダクト管は、
中空板材から管状に形成され、
前記第２筒側板部及び前記各閉塞板は、
中空板材からなる
ことを特徴とする請求項１又は請求項２に記載の飛沫吸込フード。
【考案の詳細な説明】
【技術分野】
【０００１】
本考案は、複数の人の間に配置されて、人の口や鼻からの飛沫を遮断及び吸込む飛沫吸込フードに関する。
【背景技術】
【０００２】
人の口や鼻からの飛沫の飛散を防止する技術として、特許文献１は衛生マスクを開示する。衛生マスクは、人の口や鼻を含む呼吸器に隙間を隔てて配置される呼吸器前カバー体を有する。
【先行技術文献】
【特許文献】
【０００３】
【特許文献１】特開２０１３−１３７６２号公報
【考案の概要】
【考案が解決しようとする課題】
【０００４】
特許文献１では、人の口や鼻を含む呼吸器官からの飛沫は、呼吸器及び呼吸器前方カバー体との間の隙間から飛散する。
【０００５】
本考案は、複数の人の間に配置することで、人の口や鼻からの飛沫を遮断して吸込むことのできる飛沫吸込フードを提供することにある。
【０００６】
本考案は、軽量化を図れる飛沫吸込フードを提供することにある。
【課題を解決するための手段】
【０００７】
本考案に係る請求項１は、複数の人の間に配置されて、人の口や鼻からの飛沫を吸込む飛沫吸込フードであって、第１筒側板部及び第２筒側板部とで筒状に形成される吸込筒本体、前記吸込筒本体の各吸込筒端を閉塞して前記吸込筒本体内に吸込空間を形成する一対の閉塞板、前記吸込筒本体に形成される吸込穴を有する吸込ノズル筒体と、一方の閉塞板側に配置され、前記吸込筒本体に固定される吸引ダクト管と、を備え、前記吸引ダクト管は、一方のダクト管端側を前記吸込筒本体内に挿入して、前記吸込空間に気密に連通され、前記吸込筒本体の吸込筒中心線と直交する方向に延在され、他方のダクト管端を前記第２筒側板部の側から突出して、他方のダクト管端から吸引機に接続され、前記吸込穴は、他方の閉塞板及び一方の閉塞板側の前記吸引ダクト管の間の前記第２筒側板部に形成され、及び前記第２筒側板部を貫通して前記吸込空間に連通され、前記第１筒側板部は、中空板材からなることを特徴とする飛沫吸込フードである。
本考案に係る請求項１では、第１筒側板部は、複数の中空部を有する中空板材からなる構成も採用できる。請求項１では、吸込筒本体の第１筒側板部、第２筒側板部、各閉塞板及び吸引ダクト管のうち、少なくとも第１筒側板部は、中空板材からなる構成も採用できる。
請求項１では、吸引ダクト管は、一方のダクト管端側を前記第１筒側板部の側から挿入し、及び一方のダクト管端、又は一方のダクト管端側の吸引穴（一方のダクト管端側）を吸込空間に気密に連通して配置される構成も採用できる。
【０００８】
本考案に係る請求項２は、前記吸引ダクト管は、一方のダクト管端を閉塞するダクト閉塞板と、一方のダクト管端側に配置され、前記吸引ダクト管を前記吸引ダクト管の管中心線と直交する方向に貫通して形成される吸引穴と、を有し、前記吸引穴を他方の閉塞板に向けて、前記ダクト閉塞板及び一方のダクト管端側を前記第２筒側板部の側から前記吸込本体内の挿入し、及び前記吸引穴を気密に前記吸込空間に連通して配置されることを特徴とする請求項１に記載の飛沫吸込フードである。
【０００９】
本考案に係る請求項３は、前記吸引ダクト管は、中空板材から管状に形成され、前記第２筒側板部及び前記各閉塞板は、中空板材からなることを特徴とする請求項１又は請求項２に記載の飛沫吸込フードである。
本考案に係る請求項３では、吸引ダクト管は、複数の中空部を有する中空板材から管状に形成され、第２筒側板部及び各閉塞板は、複数の中空部を有する中空板材からなる構成も採用できる。
【考案の効果】
【００１０】
本考案によれば、空気を第２筒側板部に形成した吸込穴から吸込空間に吸込むことで、複数の人の間に吸込ノズル筒体に向けて流れる気流（例えば、エアーカーテン）を形成できる。これにより、本考案は、複数の人の間に気流（エアーカーテン）を形成することで、複数の人の口や鼻からの飛沫を気流（エアーカーテン）によって遮断しつつ吸込穴から吸込空間に吸込むことができ、飛沫が対面する人に飛散することを防止できる。
複数の人の口や鼻からの飛沫は、気流（エアーカーテン）によって遮断及び捕捉されて、吸込穴から吸込空間（吸込ノズル筒体内）に吸込まれる。
本考案によれば、吸込空間を流れる空気（飛沫）は、吸引口から直接、吸引ダクト管に流入させることができる。
本考案によれば、飛沫吸込フードを中空板材から構成することで、軽量化を図ることができ、飛沫吸込フードを設置する作業性を向上できる。
【図面の簡単な説明】
【００１１】
【図１】飛沫吸込フードを示す図であって、上方から見た斜視図である。
【図２】飛沫吸込フードを示す図であって、下方から見た斜視図である。
【図３】飛沫吸込フードを示す正面図である。
【図４】飛沫吸込フードを示す平面図（上面図）である。
【図５】飛沫吸込フードを示す底面図（下面図）である。
【図６】飛沫吸込フードを示す左側面図である。
【図７】飛沫吸込フードを示す右側面図である。
【図８】図４のＡ−Ａ断面図である。
【図９】図４のＢ−Ｂ断面図である。
【図１０】図４のＣ−Ｃ断面図である。
【図１１】図４のＤ−Ｄ断面図である。
【図１２】図４のＥ−Ｅ断面図である。
【図１３】図５のＦ部分拡大図である。
【図１４】図６のＧ−Ｇ断面図である。
【図１５】（ａ）は、図８のＨ部分拡大図、（ｂ）は、図８のＩ部分拡大図である。
【図１６】図１１のＪ部分拡大図である。
【図１７】飛沫吸込フードをテーブルに設置した斜視図である。
【図１８】（ａ）は、飛沫吸込フードをテーブルに設置した左側面図、（ｂ）は、図１８（ａ）のＫ−Ｋ拡大断面図である。
【図１９】飛沫吸込フード（他の実施形態）の吸込ノズル筒体（天板）を示す平面図（上面図）である。
【図２０】飛沫吸込フード（他の実施形態）の吸込ノズル筒体、ダクト固定板体及びネジを示す平面図（上面図）である。
【図２１】図２０のＬ−Ｌ断面拡大図である。
【図２２】（ａ）は、図２０のＭ部分拡大図、（ｂ）は、図２０のＮ部分拡大図である。
【図２３】図２０のＬ−Ｌ断面拡大図であって、閉塞板が傾斜して変形した状態を示す図である。
【考案を実施するための形態】
【００１２】
本考案に係る飛沫吸込フードについて、図１乃至図２３を参照して説明する。
【００１３】
図１７及び図１８において、飛沫吸込フードＸは、複数の人の間に配置されて、人の口や鼻からの飛沫を遮断及び吸込む。
飛沫吸込フードＸは、図１乃至図１６に示すように、吸込ノズル筒体１、及び吸引ダクト管２を備える。
【００１４】
吸込ノズル筒体１は、図１乃至図１６に示すように、吸込筒本体５、複数（一対）の閉塞板６，７、複数の吸込穴８、複数の吸込穴９、複数の固定材１０，１１，１２，１３（固定部材）を有する。
【００１５】
吸込筒本体５は、図１乃至図１３、図１５及び図１６に示すように、第１筒側板部２１、ダクト取付板２２、閉鎖板２３、第２筒側板部２４、ダクト装着穴２５及び開口穴２６を有する。吸込筒本体５は、第１筒側板部２１及び第２筒側板部２４とで長尺の筒状に形成される。吸込筒本体５は、第１及び第２筒側板部２１，２４から断面四角形の筒状（長尺筒状）に形成される。
【００１６】
第１筒側板部２１（第１筒周板）は、図１乃至図１３、図１５及び図１６に示すように、天板３１、複数（一対）の側板３２，３３、底板３４及び長穴３５（矩形長穴）を有する。
第１筒側板部２１は、天板３１、各側板３２，３３及び底板３４とで形成される。
【００１７】
天板３１（天井平板）は、図１乃至図１２に示すように、矩形状（長方形状）に形成され、吸込筒本体５の吸込筒中心線ａの方向Ａ（長手方向／板長さ方向）に板長さを有し、及び吸込筒中心線ａと直交する第１直交方向Ｂ（短手方向／板幅方向）に板幅を有して矩形状に形成される。天板３１は、吸込筒中心線ａの方向Ａ（板長さ方向）及び第１直交方向Ｃ（板幅方向）と直交する第２直交方向Ｃ（板厚さ方向）に天板表面３１Ａ及び天板裏面３１Ｂを有する。
【００１８】
各側板３２，３３（側平板）は、図１乃至図１２、及び図１６に示すように、第１直交方向Ｂにおいて、天板３１の各幅端に配置されて、天板３１と一体に形成される。各側板３２，３３は、天板３１の天板裏面３１Ｂと直交して、第２直交方向Ｃに突出される。各側板３２，３３は、第２直交方向Ｃにおいて、天板３１の天板表面３１Ａ及び天板裏面３１Ｂから離間しつつ突出される。各側板３２，３３は、吸込筒中心線ａの方向Ａにおいて、天板３１の各板長さ端３１ａ，３１ｂの間に延在される。各側板３２，３３は、吸込筒中心線ａの方向Ａにおいて、天板３１の板長さ端３１ｂ（他方の板長さ端）から板長さ端３１ａ（一方の板長さ端）に向かうに従って板幅（天板３１の天板裏面３１Ｂから第２直交方向Ｃの突出量）を大きくして延在される。
これにより、吸込筒本体５は、天板３１及び各側板３２，３３とで断面コ字状に形成される。
【００１９】
底板３４は、図２、図３、図５、図７、図１０、図１２、図１３及び図１６に示すように、吸込筒中心線ａの方向Ａ（板長さ方向）において、天板３１の一方の板長さ端３１ａ側に配置される。底板３４は、天板３１の一方の板長さ端３１ａから吸込筒中心線ａの方向Ａに板幅を有して配置される。底板３４は、第２直交方向Ｃ（板厚さ方向）において、天板裏面３１Ｂに間隔を隔てて天板３１（天板裏面３１Ｂ）と平行に配置される。底板３４は、第１直交方向Ｂ（板幅方向）において、各側板３２，３３の間に配置されて、各側板３２，３３に固定される。
【００２０】
長穴３５（スリット穴）は、図１、図３、図４、図１２、図１３及び図１６に示すように、天板３１（第１筒側板部２１）に形成される。長穴３５は、吸込筒中心線ａの方向Ａにおいて、天板３１の一方の板長さ端３１ａ側に配置される。長穴３５は、底板３４に対向（対峙）して、第２直交方向Ｃ（板厚さ方向）に天板３１を貫通して、天板３１の天板表面３１Ａ及び天板裏面３１Ｂに開口される。長穴３５は、第１直交方向Ｂにおいて、吸込筒中心線ａの両側に延在される。長穴３５は、第１直交方向Ｂにおいて、各側板３２，３３の間に延在して、天板３１に形成される。
これにより、長穴３５（穴）は、図４、図１０、図１２及び図１６に示すように、天板３１の天板裏面３１Ｂ及び底板３４の間に連通される。
【００２１】
ダクト取付板２２は、図２、図３、図６、図９、図１２、図１３及び図１６に示すように、板厚さ方向に板表面２２Ａ及び板裏面２２Ｂを有する。ダクト取付板２２は、吸込筒中心線ａの方向Ａにおいて、天板３１の他方の板長さ端３１ｂ及び底板３４の間に配置される。ダクト取付板２２は、天板３１の他方の板長さ端３１ｂ側から板裏面２２Ｂを底板３４に当接して配置される。ダクト取付板２２は、第２直交方向Ｃにおいて、底板３４と直交して底板３４の両側に突出される。ダクト取付板２２は、底板３４に固定される。ダクト取付板２２は、第２直交方向Ｃにおいて、底板３４から天板３１側（天板裏面３１Ｂ側）に突出して、天板３１の天板裏面３１Ｂに流路間隔δを隔てて配置される。
ダクト取付板２２は、第１直交方向Ｂにおいて、各側板３２，３３の間に延在されて、各側板３２，３３（第１筒側板部２１）に固定される。
【００２２】
閉鎖板２３は、図３、図１０、図１２及び図１６に示すように、板厚さ方向に閉鎖板表面２３Ａ及び閉鎖板裏面２３Ｂを有する。閉鎖板２３は、第２直交方向Ｃにおいて、天板３１及びダクト取付板２２の間（流路間隔δ）に配置される。閉鎖板２３は、第２直交方向Ｂにおいて、底板３４に間隔を隔てて、閉鎖板裏面２３Ｂをダクト取付板２２の板端に当接して配置される。閉鎖板２３は、吸込筒中心線ａの方向Ａにおいて、ダクト取付板２２及び天板３１の一方の板長さ端３１ａの間に延在されて、ダクト取付板２２に固定される。
閉鎖板２３は、第１直交方向Ｂにおいて、各側板３２，３３の間に延在されて、各側板３２，３３（第１筒側板部２１）に固定される。
これにより、閉鎖板２３は、第２直交方向Ｃにおいて、底板３４との間にダクト挿入空間σを有して、底板３４と平行に配置される。
【００２３】
第２筒側板部２４は、図２，図３、図５，図８、図９、図１１及び図１２に示すように、矩形状の平板（長方形状の筒底平板）に形成される。第２筒側板部２４は、筒底平板３６、ノズル傾斜板片３７及びノズル取付板片３８を有する。
【００２４】
筒底平板３６は、図２、図３、図５、図８、図９、図１１及び図１２に示すように、板厚さ方向に底板表面３６Ａ及び底板裏面３６Ｂを有し、板長さ方向Ａ（長手方向／吸込筒中心線ａの方向Ａ）に底板長さを有し、板幅方向Ｂ（短手方向／第１直交方向）に底板幅を有する。
筒底平板３６（第２筒側板部）は、板長さ方向Ａの一方の底板長さ端３６ａにノズル傾斜板片３７及びノズル取付板片３８を有する。
【００２５】
ノズル傾斜板片３７は、図２、図３、図５、図６、図９、図１２、図１３及び図１６に示すように、筒底平板３６と同一の板片幅を有して、筒底平板３６の一方の底板長さ端３６ａから突出される。ノズル傾斜板片３７は、筒底平板３６の底板表面３６Ａに傾斜角度θ（θ＝１８０度未満）をなして、筒底平板３６の底板表面３６Ａ側に傾斜される。ノズル傾斜板片３７は、筒底平板３６の各底板長さ端３６ａ，３６ｂ、底板表面３６Ａ及び底板裏面３６Ｂから離間しつつ傾斜して、筒底平板３６の一方の底板長さ端３６ａから突出される。
【００２６】
ノズル取付板片３８は、図２、図３、図５、図６、図９、図１２、図１３及び図１６に示すように、筒底平板３６と同一の板片幅を有して、ノズル傾斜板片３７（ノズル傾斜板片３７の先端）から突出される。ノズル取付板片３８は、筒底平板３６の底板表面３６Ａ及び底板裏面３６Ｂから離間しつつノズル傾斜板片３７（ノズル傾斜板片３７の先端）から第２直交方向Ｃ（板厚さ方向）に突出される。
【００２７】
第２筒側板部２４は、図２、図３、図５、図８、図９、図１１及び図１２に示すように、筒底平板３６の底板表面３６Ａ及びノズル傾斜板片３７の傾斜片裏面３７Ｂを天板３１（第１筒側板部２１）の天板裏面３１Ｂに向けて配置される。第２筒側板部２４は、第２直交方向Ｃにおいて、筒底平板３６の底板裏面３６Ｂ及び天板３１の天板裏面３１Ｂの間に吸込間隔τを隔てて配置される。筒底平板３６は、第２直交方向Ｃにおいて、天板３１の天板裏面３１Ｂに吸込間隔τを隔てて配置される。筒底平板３６は、底板裏面３６Ｂ（底板表面３６Ａ）を天板３１の天板裏面３１Ｂ（天板表面３１Ａ）に平行して配置される。
第２筒側板部２４において、筒底平板３６、ノズル傾斜板片３７及びノズル取付板片３８は、各側板３２，３３（第１筒側板部２１）の間に配置される。第１筒側板部２１（筒底平板３６、ノズル傾斜板片３７及びノズル取付板片３８）は、各側板３２，３３（第１筒側板部２１）に固定される。
【００２８】
第２筒側板部２４は、図２乃至図４、図１１及び図１２に示すように、吸込筒中心線ａの方向Ａにおいて、天板３１の他方の板長さ端３１ｂ及びダクト取付板２２の間に配置される。第２筒側板部２４は、筒底平板３６の他方の底板長さ端３６ｂを天板３１の他方の板長さ端３１ｂに面一に配置すると共に。ノズル傾斜板片３７及びノズル取付板片３８をダクト取付板２２に向けて、吸込筒中心線ａの方向Ａに延在される。
第２筒側板部２４は、図１３及び図１６に示すように、ノズル取付板片３８の取付板裏面３８Ｂをダクト取付板２２の板表面２２Ａに当接して、ダクト取付板２２に気密に固定される。ノズル取付板片３８は、第２直交方向Ｃにおいて、ノズル傾斜板片３７の先端３７ａを天板３１（天板裏面３１Ｂ）及び閉鎖板２３（閉鎖板表面２３Ａ）の間に配置して、ダクト取付板２２に取付けられて、ダクト取付板２２に固定される。
これにより、第１筒側板部２１（天板３１，各側板３２，３３及び底板３４）と、第２筒側板部２４（筒底平板３６、ノズル傾斜板片３７及びノズル取付板片３８）は、断面矩形状（断面長方形状）の筒状の吸込筒本体５を形成（構成）する。吸込筒本体５は、吸込筒中心線ａの方向Ａにおいて、天板３１（第１筒側板部２１）の一方の天板長さ端３１ａ、各側板３２，３３（第１筒側板部）の一方の側板長さ端及び底板３４（第１筒側板部２１）を一方の吸込筒端５Ａとし、天板３１（第１筒側板部２１）の他方の天板長さ端３１ｂ。各側板３２，３３（第１筒側板部２１）の他方の側板長さ端及び筒底平板３６の他方の筒底板長さ端３２ｂを他方の吸込筒端５Ｂとして、第１及び第２筒側板部２１，２４とで断面矩形状の筒状に形成される。
【００２９】
ダクト装着穴２５は、図２、図３、図５、図１０、図１２、図１３及び図１６に示すように、例えば、矩形穴（長方形穴）であって、底板３４に形成される。ダクト装着穴２５は、第１直交方向Ｂにおいて、底板３４の中央に配置される。ダクト装着穴２５は、第２直交方向Ｃにおいて、底板３４を貫通して、閉鎖板２３との間（ダクト挿入間隔σ）に連通される。
【００３０】
開口穴２６は、図３、図１０、図１２及び図１６に示すように、例えば、矩形穴（長方形穴）であって、閉鎖板２３に形成される。開口穴２６は、第１直交方向Ｂにおいて、閉鎖板２３の中央に配置される。開口穴２６は、第１直交方向Ｃにおいて、ダクト装着穴２５に対向（対峙）して閉鎖板２３に形成される。開口穴２６は、第２直交方向Ｃにおいて、閉鎖板２３を貫通して、閉鎖板表面２３Ａ及び閉鎖板裏面２３Ｂに開口される。
これにより、開口穴２６は、ダクト挿入間隔σを隔てて、ダクト装着穴２５に連通される。開口穴２６は、天板３１及び筒底平板３６の間（吸込空間β／吸込間隔τ）に連通される。
【００３１】
閉塞板６は、図１乃至図５、図７、図９乃至図１２及び図１６に示すように、吸込筒本体５の一方の吸込筒端５Ａを気密に閉塞して、第１筒側板部２１（天板３１、各側板３２，３３及び底板３４）に固定される
閉塞板７は、図１乃至図６、図８、図１１及び図１２に示すように、吸込筒本体５の他方の吸込筒端５Ｂを気密に閉塞した、第１筒側板部２１（天板３１及び各側板３２，３３）及び第２筒側板部２４（筒底平板３６）に固定される。
これにより、各閉塞板６，７は、吸込筒本体５の各吸込筒端５Ａ，５Ｂを閉塞することで、吸込筒本体５の内部に吸込空間βを形成する。吸込筒本体５において、吸込空間βは、第２直交方向Ｃにおいて、天板３１（第１筒側板部２１）の天板裏面３１Ｂ及び筒底平板３６の底板裏面３６Ｂの間に形成され、及び吸込筒中心線ａの方向Ａにおいて、各閉塞板６，７の間に延在して形成される。吸込空間βは、閉塞板６側において、開口穴２６、閉鎖板２３及び底板３４の間（ダクト挿入間隔σ）、及びダクト装着穴２５に連通される。
【００３２】
各吸込穴８は、図２、図４、図５、図８、図９及び図１５に示すように、吸込筒本体５に形成される。吸込穴８は、吸込筒中心線ａの方向Ａにおいて、閉塞板７（他方の閉塞板７）及びダクト取付板２２（吸引ダクト管２）の間の第２筒側板部２４に形成される。各吸込穴８は、筒底平板３６に形成される。
各吸込穴８は、第１直交方向Ｂにおいて、吸込筒中心線ａの一方側（側板３２側）に配置される。各吸込穴８は、第１直交方向Ｂおいて、吸込中心線ａに穴列間隔αを隔てて配置される。各吸込穴８は、吸込筒中心線ａの方向Ａにおいて、各底板長さ端３６ａ，３６ｂの間に配置される。吸込穴８は、吸込筒中心線ａの方向Ａにおいて、各吸込穴８の間に穴行間隔γを隔てて一列に並設される。
各吸込穴８は、図１５に示すように、第２直交方向Ｃにおいて、筒底平板３６を貫通して、底板表面３６Ａ及び底板裏面３６Ｂに開口される。
これにより、各吸込穴８は、吸込空間βに連通される。
各吸込穴８は、図４及び図５に示すように、例えば、吸込筒中心線ａの方向Ａに穴長さを有し、第１直交方向Ｂに穴幅を有する長穴（スリット穴）である。
【００３３】
各吸込穴９は、図２、図４、図５、図８、図９及び図１５に示すように、吸込筒本体５に形成される。吸込穴９は、吸込筒中心線ａの方向Ａにおいて、閉塞板７（他方の閉塞板７）及びダクト取付板２２（吸引ダクト管２）の間の第２筒側板部２４に形成される。各吸込穴９は、筒底平板３６に形成される。
各吸込穴９は、第１直交方向Ｂにおいて、吸込筒中心線ａの他方側（側板３３側）に配置される。各吸込穴９は、第１直交方向Ｂおいて、吸込中心線ａに穴列間隔αを隔てて配置される。各吸込穴９は、吸込筒中心線ａの方向Ａにおいて、各底板長さ端３６ａ，３６ｂの間に配置される。吸込穴９は、吸込筒中心線ａの方向Ａにおいて、各吸込穴９の間に穴行間隔γを隔てて一列に並設される。
各吸込穴９は、図１５に示すように、第２直交方向Ｃにおいて、筒底平板３６を貫通して、底板表面３６Ａ及び底板裏面３６Ｂに開口される。
これにより、各吸込穴９は、吸込空間βに連通される。
各吸込穴９は、図４及び図５に示すように、例えば、吸込筒中心線ａの方向Ａに穴長さを有し、第１直交方向Ｂに穴幅を有する長穴（スリット穴）である。
【００３４】
吸込ノズル筒体１において、吸込筒本体５の第１筒側板部２１（天板３１、各側板３２，３３及び底板３４）、吸込筒本体５の第２筒側板部２４（筒底平板３６、ノズル傾斜板片３７及びノズル取付板片３８）、各閉塞板６，７、ダクト取付板２２及び閉鎖板２３は、図１５に示すように、中空板材（中空板）でなる。中空板材は、例えば、上壁５５Ａ板及び下壁板５５Ｂとの間の空間を仕切壁５５Ｃ（リブ）で一定間隔置きに区画することで、断面正方形の複数の中空部５５（小区室）を形成したものである（以下、同様）。中空板材としては、例えば、ＡＧＣ株式会社（旭硝子株式会社）のツインカーボ（商品名）を適用できる。
【００３５】
各固定材１０〜１３は、図３、図４、図９、図１１、図１２及び図１５に示すように、矩形（長方形）の一対の横平板４１，４２（上側横平板４１，下側横平板４２）、及び矩形の縦平板４３を有し、各横平板４１，４２及び縦平板４３とで断面コ字状に形成される。
縦平板４３は、各横平板４１，４２に直交して各横平板４１，４２の間に配置されて、各横平板４１，４２と一体に形成される。
【００３６】
各固定材１０〜１３は、図４、図１１及び図１２に示すように、吸込筒本体５内（吸込空間β）に配置される。各固定材１０〜１３は、吸込筒中心線ａの方向Ａにおいて、筒底平板３６の各底長さ端３６ａ，３６ｂの間に配置される。各固定材１０〜１３は、第１直交方向Ｂにおいて、吸込穴８及び吸込穴９の間に配置される。
【００３７】
固定材１０（第１固定材）は、図３、図４、図８、図１２及び図１５（ａ）に示すように、吸込筒本体５の他方の吸込筒端５Ｂ側（筒底平板３６の他方の底板長さ端３６ｂ側）に配置される。固定材１０は、各吸込穴８に隣接して、吸込筒中心線ａの方向Ａにおいて、各吸込穴８に平行に配置される。固定材１０は、吸込空間β内から横平板４１（上側横平板）を天板３１（天板裏面３１Ｂ）に当接し、及び横平板４２（下側横平板）を筒底平板３６（底板裏面３６Ｂ）に当接して配置される。固定材１０は、横平板４１（上側横平板）を天板３１に取付け、及び横平板４２（下側平板）を筒底平板３６に取付けて、吸込筒本体５に固定される。
【００３８】
固定材１１（第２固定材）は、図３、図４、図９及び図１２に示すように、筒底平板３６の一方の底板長さ端３６ａ側に配置される。固定材１１は、吸込筒中心線ａの方向Ａにおいて、固定材１０に間隔を隔てて並設される。固定材１１は、各吸込穴８に隣接して、吸込筒中心線ａの方向Ａにおいて、各吸込穴８に平行に配置される。固定材１１は、吸込空間β内から横平板４１（上側横平板）を天板３１（天板裏面３１Ｂ）に当接し、及び横平板４２（下側横平板）を筒底平板３６（底板裏面３６Ｂ）に当接して配置される。固定材１１は、横平板４１（上側横平板）を天板３１に取付け、及び横平板４２（下側平板）を筒底平板３６に取付けて、吸込筒本体５に固定される。
【００３９】
固定材１２（第３固定材）は、図４、８、図１１及び図１５（ｂ）に示すように、吸込筒本体５の他方の吸込筒端５Ｂ側（筒底平板３６の他方の底板長さ端３６ｂ側）に配置される。固定材１２は、各吸込穴９に隣接して、吸込筒中心線ａの方向Ａにおいて、各吸込穴９及び固定材１０に平行に配置される。固定材１２は、吸込空間β内から横平板４１（上側横平板）を天板３１（天板裏面３１Ｂ）に当接し、及び横平板４２（下側横平板）を筒底平板３６（底板裏面３６Ｂ）に当接して配置される。固定材１２は、横平板４１（上側横平板）を天板３１に取付け、及び横平板４２（下側平板）を筒底平板３６に取付けて、吸込筒本体５に固定される。
【００４０】
固定材１３（第４固定材）は、図４、図６及び図１１に示すように、筒底平板３６の一方の底板長さ端３６ａ側に配置される。固定材１３は、吸込筒中心線ａの方向Ａにおいて、固定材１２に間隔を隔てて並設される。固定材１３は、各吸込穴９に隣接して、吸込筒中心線ａの方向Ａにおいて、各吸込穴９及び固定材１１に平行に配置される。固定材１３は、吸込空間β内から横平板４１（上側横平板）を天板３１（天板裏面３１Ｂ）に当接し、及び横平板４２（下側横平板）を筒底平板３６（底板裏面３６Ｂ）に当接して配置される。固定材１３は、横平板４１（上側横平板）を天板３１に取付け、及び横平板４２（下側平板）を筒底平板３６に取付けて、吸込筒本体５に固定される。
これにより、各固定材１１〜１３は、吸込空間β内において、天板３１（第１筒側板部２１）及び筒底平板３６（第２筒側板部２４）を支持する。
【００４１】
吸引ダクト管２は、図１乃至図７、図９乃至図１４及び図１６に示すように、ダクト板片４６、ダクト傾斜板片４７及びダクト取付板片４８を有する。
【００４２】
吸引ダクト管２は、図１４に示すように、例えば、断面矩形（断面長方形）の管状（筒状）に形成される。吸引ダクト管２は、複数（４つ）の管側板５１〜５４とで断面矩形の管状に形成される。
【００４３】
ダクト板片４６は、図３、図１０乃至図１３及び図１６に示すように、吸引ダクト管２の一方のダクト管端２Ａに配置されて、管側板５１（吸引ダクト管２）と一体に形成される。ダクト板片４６は、管側板５１の管板幅より僅かに幅狭い板片幅を有し、吸引ダクト管２の管中心線ｇの方向Ｇ（第２直交方向Ｃ）において、一方のダクト管端２Ａから突出される。
【００４４】
ダクト傾斜板片４７は、図３，図４、図１０乃至図１３及び図１６に示すように、ダクト板片４６と同一の板片幅を有して、
ダクト板片４６と一体に形成される。ダクト傾斜板片４７は、ダクト板片４６の先端から突出される。ダクト傾斜板片４７は、ダクト板片４６に傾斜角度θ（例えば、ノズル傾斜板片３７と同一の角度）をなして、管側板５２側（一方のダクト管端２Ａ側）に傾斜される。
【００４５】
ダクト取付板片４８は、図１、図３乃至図７、図９乃至図１２及び図１６に示すように、ダクト板片４６と同一の板片幅を有して、ダクト傾斜板片４７と一体に形成される。ダクト取付板片４８は、ダクト取付板片４８は、ダクト傾斜板片４７の先端から管中心線ｇと直交する方向（吸込筒中心線aの方向Ａ）に突出される。
【００４６】
吸引ダクト管２は、図１乃至図７、図９乃至図１３及び図１６に示すように、一方の閉塞板６側に配置されて、吸込筒本体５（第１筒側板部２１及び第２筒側板部２４）に固定（連結）される。
吸引ダクト管２は、一方のダクト管端２Ａ側を吸込筒本体５内に挿入して、吸込空間βに気密に連通される。吸引ダクト管２は、一方のダクト管端２Ａ側を吸込筒本体５内に挿入し、及び一方のダクト管端２Ａを吸込空間βに気密に連通して配置される。
【００４７】
吸引ダクト管２は、図１６に示すように、一方のダクト管端２Ａ（ダクト取付板片４８）をダクト装着穴２５に向けて配置され、一方のダクト管端２Ａ側（ダクト板片４６、ダクト傾斜板片４７及びダクト取付板片４８）を、第２筒側板部２４（筒底平板３６）の側からダクト取付板２２及び閉塞板６の間、及びダクト装着穴２５の順に圧入して、一方のダクト管端２Ａをダクト挿入間隔σ（閉鎖板２３及び底板３４の間）に配置すると共に、ダクト板片４６、ダクト傾斜板片４７及びダクト取付板片４８を開口穴２６から吸込空間βに配置する。
吸引ダクト管２（一方のダクト管端２Ａ側）は、図１６に示すように、管側板５１を閉塞板６（一方の閉塞板）に気密に当接し、管側板５１に対向（対峙）する管側板５２をダクト取付板２２（板裏面２２Ｂ）に気密に当接して、ダクト装着穴２５から吸込筒本体５内に挿入される。
吸引ダクト管２の一方のダクト管端２Ａは、図１６に示すように、ダクト挿入間隔σ（閉鎖板２３及び底板３４の間）から閉鎖板２３の閉鎖板裏面２３Ｂに気密に当接される。
これにより、吸引ダクト管２は、一方のダクト管端２Ａから開口穴２６を通して、吸込空間β［第１筒側板部２１（天板３１）及び第２筒側板部２４（筒底平板３６）の間］に連通される。
【００４８】
吸引ダクト管２において、ダクト取付板片４８は、図１６に示すように、吸込筒本体５内から長穴３５に気密に貫通（挿通）されて、天板３１の天板表面３１Ａに当接される。
【００４９】
吸引ダクト管２は、図１６に示すように、管側板５１を閉塞板６（一方の閉塞板）に取付け、管側板５２をダクト取付板２２に取付け、及びダクト取付板片４８を天板３１に取付けて、吸込筒本体５に固定（連結）される。
【００５０】
吸引ダクト管２は、図１乃至図３、図６、図７、図９乃至図１２及び図１６に示すように、吸込筒中心線ａと直交する方向Ｃ（第２直交方向）に延在されて、他方のダクト管端２Ｂ側を第１筒側板部２１（一方の閉塞板６）、ダクト取付板２２、及び第２筒側板部２４（ノズル取付板片３８）から突出して配置される。
【００５１】
吸引ダクト管２は、図１４に示すように、ダクト板片４６、ダクト傾斜板片４７及びダクト取付板片４８と共に、吸込ノズル筒体１と同一構成の中空板材からなる。
【００５２】
図１７及び図１８において、飛沫吸込フードＸは、複数の人の間に配置されて、人の口や鼻からの飛沫を遮断しつつ吸込む。
【００５３】
飛沫吸込フードＸは、図１７及び図１８に示すように、複数に人が対面するテーブル６０に設置される。飛沫吸込フードＸは、吸込筒本体５の吸込筒中心線ａをテーブル６０の長手方向ＬＴに向けて、テーブル６０の幅方向ＬＨの中央に配置される。飛沫吸込フードＸは、テーブル６０の長手方向ＬＴ及び幅方向ＬＨと直交する上下方向ＵＤにおいて、吸込ノズル筒体１（吸込筒本体５）をテーブル６０に流れ空間ＰＲに隔てて、複数の人の上方に位置して配置される。飛沫吸込フードＸは、各吸込穴をテーブルに向けて、複数の人の上方に配置される。
【００５４】
飛沫吸込フードＸにおいて、吸引ダクト管２は、図１７及び図１８に示すように、他方のダクト管端２Ｂから吸引機６５に接続される。吸引ダクト管２は、他方のダクト管端２Ｂ側を吸引機６５の吸引管６６に気密に外嵌して、他方のダクト管端２Ｂを吸引機６５（吸引管６６）に接続する。
これにより、飛沫吸込フードＸにおいて、吸込ノズル筒体１は、吸引ダクト管２及び吸引管６６によって片持ち支持される。
【００５５】
吸引機６５は、例えば、空気清浄機であって、空気を吸引及び清浄して、清浄空気を外部に排出する。
【００５６】
複数の人は、テーブル６０の幅方向ＬＨにおいて、各人の間に飛沫吸込フードＸ（吸込ノズル筒体１）を配置して、テーブル６０の各幅端６０Ａ，６０Ｂ側に着座等する。複数の人は、上下方向ＵＤにおいて、テーブル６０及び吸込ノズル筒体１の間に位置される。
これにより、複数の人は、流れ空間ＰＲを間に位置して、人の顔を対面する。
【００５７】
空気清浄機６５（吸引機）を駆動して、吸引ダクト管２、及び吸込ノズル筒体１（吸込空間β）の空気を吸引する。
飛沫吸込フードＸにおいて、吸込ノズル筒体１は、図２、図８、図１５及び図１８（ａ）に示すように、空気清浄機６５（吸引機）の吸引によって、流れ空間ＰＲの空気を各吸込穴８，９から吸込空間β内に吸込んで、吸引ダクト管２から空気清浄機６５に流出する。
各吸込穴８，９から吸込空間βに吸込まれた空気は、図１６に示すように、吸引ダクト管２のダクト傾斜板片４７に衝突して、ダクト傾斜板片４７に沿って流れて、一方のダクト管端２Ａから吸引ダクト管２内に流れる。ダクト傾斜板片４７は、ノズル傾斜板片３７と共に、吸込空間βを流れる空気を吸引ダクト管２内に案内（ガイド）する。
飛沫吸込フードＸにおいて、吸込空間βに空気を吸込むと、テーブル６０から吸込ノズル筒体１に向けて流れるエアーカーテンＣＡ（吸込ノズル筒体１の各吸込穴８，９に向けて流れる気流）を流れ空間ＰＲに形成する。
【００５８】
飛沫吸込フードＸは、図１９乃至図２３に示すような構成であっても良い。図１９乃至図２３では、吸引ダクト管２の構成、及び吸引ダクト管２を第１筒側板部２１に固定する構造のみを変更したものであって、基本的に、図１乃至図１８を同一の構成を備えるものである。
【００５９】
図２０乃至図２３において、飛沫吸込フードＸは、ダクト固定板体６９、及び複数のネジ７０，７１を有する。
【００６０】
図１９において、第１筒側板部２１（天板３１）は、長穴３５を有することなく、複数（一対）の横長穴７２，７３を有する。各横長穴７２，７３は、図１９に示すように、吸込筒本体５の一方の吸込筒端５Ａ側（閉塞板６側）に配置されて、天板３１（第１筒側板部２１）に形成される。各横長穴７２，７３は、第１直交方向Ｂ（短手方向／板幅方向（において、各横長穴７２，７３の間に横穴間隔εを隔てて天板３１の各板幅端側に配置される。各横長穴７２，７３は、図１９に示すように、第１直交方向Ｂに穴幅を有し、及び吸込中心線ａの方向Ａに穴長さを有して延在される。各横長穴７２，７３は、図１９乃至図２２に示すように、板厚さ方向Ａにおいて、天板３１を貫通して天板表面３１Ａ及び天板裏面３１Ｂに開口される。
【００６１】
図２１において、吸引ダクト管２は、ダクト板片４６、ダクト傾斜板片４７及びダクト取付板片４８を有することなく、断面矩形（断面長方形）の管状に形成される。吸引ダクト管２は、図２１に示すように、ダクト閉塞板８１及び吸引穴８２を有する。
ダクト閉塞板８１は、図２１に示すように、吸引ダクト管２の一方のダクト管端２Ａを閉塞して吸引ダクト管２に固定される（吸引ダクト管２の一方のダクト管端２Ａと一体に形成される）。吸引穴８２は、図２１に示すように、吸引ダクト管２の一方のダクト管端２Ａ側に配置されて、吸引ダクト管２を管中心線ｇと直交する方向に貫通して形成される。吸引穴８２は、図２１に示すように、例えば、一の管側板５２に形成される。吸引穴８２は、管側板５２を管中心線ｇと直交する方向に貫通して管側板５２の板厚さ方向の管側板表面５２Ａ及び管側板裏面５２Ｂに開口されて、吸引ダクト管２内に連通される。
図２１において、吸引ダクト管２は、ダクト閉塞板８１（一方のダクト管端２Ａ）をダクト装着穴２５に向け、及び吸引穴８２（管側板５２）を他方の閉塞板７に向けて配置され、ダクト閉塞板８１及び一方のダクト管端２Ａ側を、第２筒側板部２４（筒底平板３６）の側からダクト装着穴２５、及び開口穴２６の順に気密に挿入（圧入）して、吸引穴８２を吸込空間βに配置すると共に、ダクト閉塞板８１を第１筒側板部２１（天板３１の天板裏面３１Ｂ）に当接する。
図２１において、吸引ダクト管２は、吸引穴８２を他方の閉塞板７に向けて、吸引穴８２を吸込空間βに連通して配置される。
これにより、吸引ダクト管２は、図２１に示すように、吸引穴８２を通して、吸込空間β［第１筒側板部２１（天板３１）及び第２筒側板部２４（筒底平板３６）の間］に連通される。
図２０及び図２１において、各第１吸込穴９，１０及び各第２吸込穴１０，１１から吸込空間β（吸込ノズル筒体１内）に吸込まれた空気及び飛沫は、空気清浄機６５の吸引によって、吸込筒本体５の吸込筒中心線ａの方向Ａに流れて、吸引口８２から直接、吸引ダクト管２内に流入される。
【００６２】
図２０乃至図２２において、ダクト固定板体６９は、断面Ｌ字状に形成されて、矩形（長方形）の固定平板７４及び矩形（長方形）の固定側平板７５を有する。固定平板７４は、板厚さ方向に固定板表面７４Ａ及び固定板裏面７４Ｂを有すると共に、複数（２つの）の固定横長穴７６，７７を有する。各固定横長穴７６，７７は、図２０乃至図２２に示すように、固定平板７４の板長さ方向（長手方向）において、各固定横長穴７６，７７の間に横穴間隔ε（横長穴７２，７３と同一間隔）を隔てて並設（並列）される。各固定横長穴７６，７７は、図２０乃至図２２に示すように、固定平板７４の板長さ方向（長手方向）に穴幅を有し、及び固定平板７４の板幅方向（短手方向）に穴長さを有して延在される。各固定横長穴７６，７７は、図２０乃至図２２に示すように、固定平板７４の板厚さ方向において、固定平板７４を貫通して固定板表面７４Ａ及び固定板裏面７４Ｂに開口される。
図２０乃至図２２において、固定側平板７５は、固定平板７４の板幅方向の一方の板幅端に配置されて、固定平板７４と一体に形成される。固定側平板７５は、固定平板７４の固定板裏面７４Ｂに直交して、固定板裏面７４Ｂから突出される。
【００６３】
図２０乃至図２２において、ダクト固定板体６９は、吸込筒本体５の一方の吸込筒端５Ａ側に配置されて、固定平板７４の固定板裏面７４Ｂを天板３１の天板表面３１Ａ（第１筒側板部２１）に当接して配置される。ダクト固定板体６９は、固定側平板７５の板厚さ方向の固定板裏面７４Ｂ（固定側板裏平面）を閉塞板６に当接して配置される。図２０乃至図２２において、固定平板７４（ダクト固定板体６９）は、各固定横長穴７６，７７を天板３１の各横長穴７２，７３に一致して、天板３１の天板表面３１Ａに載置される。これにより、各固定横長穴７６，７７は、各横長穴７２，７３と同方向（吸込筒中心線ａの方向Ａ）に穴長さを有して、各横長穴７２，７３に連通（対向／対峙）される。固定側平板７５は、閉塞板６に取外し自在として固定される。
【００６４】
図２０乃至図２２において、各ネジ７０，７１は、ネジ軸７８及びネジ頭部７９を有する。
図２０乃至図２２に示すように、ネジ７０は、ネジ軸７８を固定平板７４の固定板表面７４Ａから固定横長穴７６、及び横長穴７２の順に挿入して、ネジ軸７８をダクト閉塞板８１に螺入（螺着）する。ネジ７１は、ネジ軸７８を固定平板７４の固定板表面７４Ａから固定横長穴７７、及び横長穴７３の順に挿入して、ネジ軸７８をダクト閉塞板８１に螺入（螺着）する。
図２０乃至図２２において、各ネジ７０，７１は、ネジ軸７８をダクト閉塞板８１に螺入（螺着）しつつ、ネジ頭部７９を固定平板７４の固定板表面７４Ａに固定する。
これにより、各ネジ７０，７１は、図２０及び図２１に示すように、ダクト閉塞板８１への螺着によって、ダクト閉塞板８１を天板３１の天板裏面３１Ｂに圧接して、吸引ダクト管２を第１筒側板部２１（天板３１）に取外し自在として固定する。
これにより、吸引ダクト管２は、図２１及び図２３に示すように、ダクト閉塞板８１螺着（固定）された各ネジ７０，７１（ネジ軸７８）、及び各固定横長穴７６，７７（横長穴７２，７３によって、吸込ノズル筒体１（天板３１）に対して吸込筒中心線ａの方向Ａに移動自在にされる。また、吸込ノズル筒体１（天板３１）は、図２１及び図２３に示すように、ダクト閉塞板８１螺着（固定）された各ネジ７０，７１（ネジ軸７８）、及び各固定横長穴７６，７７（横長穴７２，７３によって、吸引ダクト管２に対して吸込筒中心線aの方向Ａに移動自在にされる。
これにより、図２３において、飛沫吸込フードＸは、閉塞板６が内側（吸込空間β側）に傾いて変形等しても、吸引ダクト管２を吸込ノズル筒体１（天板３１）に対して吸込筒中心線ａの方向に移動し、又は吸込ノズル筒体１を吸引ダクト管２に対して吸込筒中心線ａの方向に移動することで、吸引ダクト管２（管側板５１）を閉塞板６に圧接しつつ閉塞板６の傾き（変形）を吸収して（閉塞板６の変形をなくして）、吸引ダクト管２（管中心線ｇ）を吸込筒中心線ａに直交して、吸込ノズル筒体１（第１筒側板部２１）に固定できる。このとき、吸引ダクト管２（管側板５１）を閉塞板６に圧接するとこで、吸込空間βの気密を保持できる。
図１９乃至図２３において、各ネジ７０，７１のネジ軸７８を各固定横長穴７６，７７、及び各横長穴７２，７３の順に挿入し、ネジ軸７８をダクト閉塞板８１に螺着（螺入）することで、吸引ダクト管２を簡単な作業によって、第１筒側板部２１（天板３１）に取外し自在に固定できる。
【００６５】
本考案に係る飛沫吸込フードＸでは、第２筒側板部２４（筒底平板３６）に形成する吸込穴８，９は、複数に限定されず、１つの吸込穴を第２筒側板部２４（筒底平板３６）に形成しても良い。
【００６６】
本考案に係る飛沫吸込フードＸは、吸込ノズル筒体１及び吸引ダクト管２の全ての部材（構成部品）を中空板材で形成しているが、これに限定されるものでなく、第２筒側板部２４（筒底平板３６）を合成樹脂板で形成し、吸引ダクト管２を合成樹脂管、金属管で形成しても良い。
本考案に係る飛沫吸込フードＸでは、吸引ダクト管２、第１筒側板部２１、ダクト取付板２２、閉鎖板２３及び第２筒側板部２４のうち、少なくとも第１筒側板部２１を中空板材から形成すれば良い。
中空板材は、図１４及び図１５に示す構成に限定されず、複数の中空部を有するものであれば良い。
【産業上の利用可能性】
【００６７】
本考案は、人の口や鼻からの飛沫を遮断するのに最適である。
【符号の説明】
【００６８】
Ｘ  飛沫吸込フード
１  吸込ノズル筒体
２  吸引ダクト管
５  吸込筒本体
６  閉塞板（一方の閉塞板）
７  閉塞板（他方の閉塞板）
８  吸込穴
９  吸込穴
２１  第１筒側板部
２４  第２筒側板部
【図１】
0003235334.tif 000003
【図２】
0003235334.tif 000004
【図３】
0003235334.tif 000005
【図４】
0003235334.tif 000006
【図５】
0003235334.tif 000007
【図６】
0003235334.tif 000008
【図７】
0003235334.tif 000009
【図８】
0003235334.tif 000010
【図９】
0003235334.tif 000011
【図１０】
0003235334.tif 000012
【図１１】
0003235334.tif 000013
【図１２】
0003235334.tif 000014
【図１３】
0003235334.tif 000015
【図１４】
0003235334.tif 000016
【図１５】
0003235334.tif 000017
【図１６】
0003235334.tif 000018
【図１７】
0003235334.tif 000019
【図１８】
0003235334.tif 000020
【図１９】
0003235334.tif 000021
【図２０】
0003235334.tif 000022
【図２１】
0003235334.tif 000023
【図２２】
0003235334.tif 000024
【図２３】
0003235334.tif 000025